(57)【要約】【課題】キャビネットに用いられて移動ユニットを移動および移動制限するための移動・移動制限装置の提供。【解決手段】移動・移動制限装置は軌道ユニット４と移動制限ユニット５を具える。軌道ユニット４は非制限経路４０１と制限経路４０２を含むガイド軌道４０を有する。移動制限ユニット５は揺動可能にガイド軌道４０に挿入されたピン５５３を有する。移動ユニット２が固定ユニット１に対して移動すると、ピン５５３とガイド軌道４０とが相対移動する。該相対移動は、移動ユニット２が収納方向９３に移動する際には制限経路４０２にガイドされ、展開方向９１に移動する際には非制限経路４０１にガイドされる。【選択図】図５
2014230787.tif 000002
【特許請求の範囲】
【請求項１】
固定ユニットと該固定ユニットに対して展開方向とその反対の収納方向とにスライド移動できる移動ユニットとを具えているキャビネットに用いられて、前記固定ユニットおよび前記移動ユニットの左右両側間に２つ１組で設けられることにより前記移動ユニットを移動および移動制限するための移動・移動制限装置であって、
前記固定ユニットおよび前記移動ユニットのいずれか一方に固定される軌道ユニットと、前記固定ユニットおよび前記移動ユニットの前記一方ではない他方に固定される移動制限ユニットと、反動ユニットとを具え、
前記軌道ユニットは、ガイド軌道と、ピン係止ブロックと、それぞれ前記ピン係止ブロックの前記展開方向側にあって互いに隣接するピン押出ブロックおよび転向ブロックとを有し、前記ガイド軌道は、それぞれ前記移動ユニットの移動方向に沿って延伸する非制限経路と制限経路、および転向区間とを有し、前記ピン係止ブロックと前記ピン押出ブロックは前記非制限経路と前記制限経路とが合流する箇所に位置し、前記ピン係止ブロックは前記ピン押出ブロックに面するピン嵌入窪み
を有し、前記転向区間は前記ピン係止ブロックと前記転向ブロックとの間に画成され、
前記移動制限ユニットは、ケースと、前記ケース内に位置調整可能に設置されるピン座と、前記ピン座に揺動可能に枢結されるピンユニットとを有し、前記ピンユニットは、前記軌道ユニットの前記ガイド軌道に沿って移動できるように前記ガイド軌道に挿入されるピンを有し、
前記反動ユニットは、前記固定ユニットと前記移動ユニットの間に設けられる弾性部材を有し、
前記ガイド軌道および前記ピンユニットは、
前記移動ユニットが前記固定ユニットに対して移動すると、前記ピンと前記ガイド軌道が相対的に移動し、前記ピンと前記ガイド軌道との相対移動は、前記移動ユニットが外力を受けて前記収納方向に移動する間は前記制限経路に単方向にガイドされ、前記移動ユニットが前記反動ユニットにより駆動されて前記展開方向に移動する間は前記非制限経路に単方向にガイドされ、
前記ピンと前記ガイド軌道との前記相対移動が前記制限経路にガイドされている間に、前記移動ユニットを前記収納方向に移動させる前記外力が解除されて前記ピンと前記ガイド軌道との前記相対移動の方向が前記反動ユニットの反動力によって反転するとすぐに、前記ピンが前記ガイド軌道に係止されて前記ピンと前記ガイド軌道との前記相対移動が停止し、
前記移動ユニットが再び前記外力を受けると、前記ピンと前記ガイド軌道との前記相対移動が、前記ピンが前記制限経路を離れ前記転向区間に入り込むように前記転向ブロックにガイドされるまで前記制限経路にガイドされ続け、
前記ピンが前記転向区間に入り込んだ上で前記外力が再び解除されると、前記移動ユニットが前記反動ユニットの反動力を受けて前記ピンが前記係止ブロックの前記ピン嵌入窪みに嵌入し、
前記ピンが前記ピン嵌入窪みに嵌入している際に前記移動ユニットが前記外力を再び受けると、前記ピンが前記ピン押出ブロックに前記ピン嵌入窪みから脱離して前記非制限経路に向かうように押し出されて、前記外力が解除されると、前記ピンが前記非制限経路に入り込むと共に、前記ピンと前記ガイド軌道とが前記反動ユニットの反動力を受けて単方向に相対移動するように構成されることを特徴とする、
移動・移動制限装置。
【請求項２】
前記制限経路は、前記ピンが嵌入して係止される係止空間を有することを特徴とする、請求項１に記載の移動・移動制限装置。
【請求項３】
固定ユニットと該固定ユニットに対してスライド移動できる移動ユニットとを具えているスライドアセンブリに用いられて前記移動ユニットの移動を制限するための移動制限ユニットであって、
ケースと、前記ケースに位置調整可能に設置されているピン座と、前記ピン座に揺動可能に枢結されているピンユニットとを有することを特徴とする、
移動制限ユニット。
【請求項４】
前記ケースに回転可能に連結されている位置調整ねじを更に有し、前記ピン座は、前記位置調整ねじと螺結されており、前記位置調整ねじは、前記ピン座を前記ケースに対して移動させるように回転可能に設けられていることを特徴とする、請求項３に記載の移動制限ユニット。
【請求項５】
前記ピン座は、枢結孔および制限溝が設けられた側壁を有し、前記ピンユニットは、プレート部と、前記プレート部から突起して回転可能に前記枢結孔に挿入されている心棒部と、前記プレート部の一端から延伸し前記ピン座の前記制限溝に移動可能に係合する制限突起部と、前記プレート部の他端から突起しているピンとを有することを特徴とする、請求項３または請求項４に記載の移動制限ユニット。
【請求項６】
固定ユニットと該固定ユニットに対して展開方向とその反対の収納方向とにスライド移動できる移動ユニットとを具えているスライドアセンブリに用いられて前記移動ユニットを移動および移動制限するための移動・移動制限装置であって、
軌道ユニットと、移動制限ユニットとを具え、
前記軌道ユニットは、互いに間隔を置いてそれぞれ前記移動ユニットの移動方向に沿って延伸する非制限経路と制限経路とを有するガイド軌道を画成するように構成されている上に、前記非制限経路と前記制限経路との間に設けられた少なくとも１つの制限ブロックと、前記少なくとも１つの制限ブロックとそれぞれ隣接するように前記非制限経路と前記制限経路との間に設けられた少なくとも１つの補助制限ブロックとを有し、前記制限ブロックと隣接する前記補助制限ブロックとは互いの一端同士が近づくように延伸して互いの間に係止空間を画成するように設けられており、
前記移動制限ユニットは、前記軌道ユニットの前記ガイド軌道に揺動可能に挿入されるピンを有する揺動可能なピンユニットを有し、
前記ガイド軌道および前記ピンユニットは、
前記移動ユニットが前記固定ユニットに対して移動すると、前記ピンと前記ガイド軌道が相対的に移動し、前記ピンと前記ガイド軌道との相対移動は、前記移動ユニットが第１の外力を受けて前記収納方向に移動する間は前記制限経路に単方向にガイドされ、前記移動ユニットが第２の外力を受けて前記展開方向に移動する間は前記非制限経路に単方向にガイドされ、
前記ピンと前記ガイド軌道との前記相対移動が前記制限経路にガイドされている間に、前記移動ユニットを前記収納方向に移動させる前記第１の外力が解除されて前記ピンと前記ガイド軌道との前記相対移動の方向が前記第２の外力によって反転するとすぐに、前記ピンが前記係止空間に嵌入し前記制限ブロックと前記補助制限ブロックとに係止されて前記ピンと前記ガイド軌道との前記相対移動が停止するように構成されることを特徴とする、
移動・移動制限装置。
【請求項７】
固定レール部材と該固定レール部材に対して展開方向とその反対の収納方向とにスライド移動できるスライドレール部材との間に設けられて前記スライドレール部材を移動および移動制限するための移動・移動制限装置であって、
軌道ユニットと、前記軌道ユニットに対して相対移動する移動制限ユニットと、反動ユニットとを具え、
前記軌道ユニットは、ガイド軌道と、ピン係止ブロックと、それぞれ前記ピン係止ブロックの前記展開方向側にあって互いに隣接するピン押出ブロックおよび転向ブロックとを有し、前記ガイド軌道は、それぞれ前記移動ユニットの移動方向に沿って延伸する非制限経路と制限経路、および転向区間とを有し、前記ピン係止ブロックと前記ピン押出ブロックは前記非制限経路と前記制限経路とが合流する箇所に位置し、前記ピン係止ブロックは前記ピン押出ブロックに面するピン嵌入窪み
を有し、前記転向区間は前記ピン係止ブロックと前記転向ブロックとの間に画成され、
前記移動制限ユニットは、ピン座と、前記ピン座に揺動可能に枢結されるピンユニットとを有し、前記ピンユニットは、前記軌道ユニットの前記ガイド軌道に沿って移動できるように前記ガイド軌道に挿入されるピンを有し、
前記反動ユニットは、前記固定レール部材と前記スライドレール部材との間に接続される弾性部材を有し、
前記ガイド軌道および前記ピンユニットは、
前記スライドレール部材が前記固定レール部材に対して移動すると、前記ピンと前記ガイド軌道が相対的に移動し、前記ピンと前記ガイド軌道との相対移動は、前記スライドレール部材が外力を受けて前記収納方向に移動する間は前記制限経路に単方向にガイドされ、前記スライドレール部材が前記反動ユニットにより駆動されて前記展開方向に移動する間は前記非制限経路に単方向にガイドされ、
前記ピンと前記ガイド軌道との前記相対移動が前記制限経路にガイドされている間に、前記スライドレール部材を前記収納方向に移動させる前記外力が解除されて前記ピンと前記ガイド軌道との前記相対移動の方向が前記反動ユニットの反動力によって反転するとすぐに、前記ピンが前記ガイド軌道に係止されて前記ピンと前記ガイド軌道との前記相対移動が停止し、
前記スライドレール部材が再び前記外力を受けると、前記ピンと前記ガイド軌道との前記相対移動が、前記ピンが前記制限経路を離れ前記転向区間に入り込むように前記転向ブロックにガイドされるまで前記制限経路にガイドされ続け、
前記ピンが前記転向区間に入り込んだ上で前記外力が再び解除されると、前記スライドレール部材が前記反動ユニットの反動力を受けて前記ピンが前記係止ブロックの前記ピン嵌入窪みに嵌入し、
前記ピンが前記ピン嵌入窪みに嵌入している際に前記スライドレール部材が前記外力を再び受けると、前記ピンが前記ピン押出ブロックに前記ピン嵌入窪みから脱離して前記非制限経路に向かうように押し出されて、前記外力が解除されると、前記ピンが前記非制限経路に入り込むと共に、前記ピンと前記ガイド軌道とが前記反動ユニットの反動力を受けて単方向に相対移動するように構成されることを特徴とする、
移動・移動制限装置。
【請求項８】
前記制限経路は、前記ピンが嵌入して係止される係止空間を有することを特徴とする請求項７に記載の移動・移動制限装置。
【発明の詳細な説明】
【技術分野】
【０００１】
本発明は、移動・移動制限装置およびその移動制限ユニットに関し、特にプッシュオープン式の移動ユニットの移動およびその移動制限を働かせるための移動・移動制限装置およびその移動制限ユニットに関する。
【背景技術】
【０００２】
キャビネットには、引き出したり（展開）押し入れたり（収納）できる移動ユニット（例えば引き出し）が収められており、移動ユニットの移動をより滑らかにするために、一般には、移動ユニットの左右両側とキャビネット本体の対応する箇所にそれぞれ設けられるレール状部材を具えるスライドアセンブリが設けられている。スライドアセンブリは、通常、固定側（キャビネット）と移動側（移動ユニット）とにそれぞれ設けられた２本以上のレール状部材を互いに嵌め合わせるように構成したものであり、レール状部材同士が相対してスライド移動することにより移動ユニットが滑らかにスライド移動する。移動ユニットは、通常、収納物を載置できるように構成された載置部と、載置部の手前側に設けられた前板を有している。
【０００３】
上記スライドアセンブリを相対移動させる装置としては機械式と電動式とがある。機械式の移動装置としては様々な工夫が有り、例えば、移動装置における移動ユニットが押し入れられた際に移動ユニットを展開方向に付勢する反動ユニットを設け、収納状態にある移動ユニットの前板を更に押し込むように押圧すると付勢された移動ユニットが弾き出されて展開状態になるようにしたプッシュオープン式にしたものや、移動速度を緩衝する機構を設けることにより押し込んだり引き出したりした際に発する固定側と移動側との衝突音が出るのを防いだものなどがある。例えば、特許文献１や特許文献２には、移動装置と、移動装置における移動ユニットの移動を制限する機構を設けて、プッシュオープン式の更なる改良を図ったものが開示されている。
【先行技術文献】
【特許文献】
【０００４】
【特許文献１】実開平２−１４４９７４号公報
【特許文献２】台湾特許出願公開第２０１２４２５４０号公報
【発明の概要】
【発明が解決しようとする課題】
【０００５】
しかしながら、移動ユニットが弾き出される際に、いかにしてその移動の安定を確保するかにはいまだ改良の余地が有る。また、移動ユニットを押し込む方向に移動させる際に、途中で移動ユニットを止めることができず、完全に押し込む前に押し込む方向の外力を解除してしまうと、移動ユニットが位置制限されずに反動ユニットの付勢により弾き出されてしまい、使用上不便であるという問題もある。
【０００６】
本発明は、上述した従来の問題点に鑑みてなされたものであり、スライドアセンブリに用いられることで、移動ユニットの移動安定性を向上させるだけでなく、移動ユニットの移動を展開状態と収納状態との途中でも制限して定位させることができる移動・移動制限装置およびその移動制限ユニットの提供を目的とする。
【課題を解決するための手段】
【０００７】
上記目的を達成する１つの手段（請求項１）として、本発明は、以下の構成を有する移動・移動制限装置を提供する（なお、括弧内の数字は図面における符号に対応するもので参照のために付したものである）。
【０００８】
即ち、固定ユニット（１）と該固定ユニット（１）に対して展開方向（９１）とその反対の収納方向（９３）とにスライド移動できる移動ユニット（２）とを具えているキャビネットに用いられて、前記固定ユニット（１）および前記移動ユニット（２）の左右両側間に２つ１組で設けられることにより前記移動ユニット（２）を移動および移動制限するための移動・移動制限装置であって、
前記固定ユニット（１）および前記移動ユニット（２）のいずれか一方に固定される軌道ユニット（４）と、前記固定ユニット（１）および前記移動ユニット（２）の前記一方ではない他方に固定される移動制限ユニット（５）と、反動ユニット（３）とを具え、
前記軌道ユニット（４）は、ガイド軌道（４０）と、ピン係止ブロック（４５）と、それぞれ前記ピン係止ブロック（４５）の前記展開方向（９１）側にあって互いに隣接するピン押出ブロック（４６）および転向ブロック（４３１）とを有し、前記ガイド軌道（４０）は、それぞれ前記移動ユニットの移動方向に沿って延伸する非制限経路（４０１）と制限経路（４０２）、および転向区間（４０３）とを有し、前記ピン係止ブロック（４５）と前記ピン押出ブロック（４６）は前記非制限経路（４０１）と前記制限経路（４０２）とが合流する箇所に位置し、前記ピン係止ブロック（４５）は前記ピン押出ブロック（４６）に面するピン嵌入窪み(４５１)を有し、前記転向区間（４０３）は前記ピン係止ブロック（４５）と前記転向ブロック（４３１）との間に画成され、
前記移動制限ユニット（５）は、ケース（５１）と、前記ケース（５１）内に位置調整可能に設置されるピン座（５３）と、前記ピン座（５３）に揺動可能に枢結されるピンユニット（５５）とを有し、前記ピンユニット（５５）は、前記軌道ユニット（４）の前記ガイド軌道（４０）に沿って移動できるように前記ガイド軌道（４０）に挿入されるピン（５５３）を有し、
前記反動ユニット（３）は、前記固定ユニット（１）と前記移動ユニット（２）の間に設けられる弾性部材（３３）を有し、
前記ガイド軌道（４０）および前記ピンユニット（５５）は、
前記移動ユニット（２）が前記固定ユニット（１）に対して移動すると、前記ピン（５５３）と前記ガイド軌道（４０）が相対的に移動し、前記ピン（５５３）と前記ガイド軌道（４０）との相対移動は、前記移動ユニット（２）が外力を受けて前記収納方向（９３）に移動する間は前記制限経路（４０２）に単方向にガイドされ、前記移動ユニット（２）が前記反動ユニット（３）により駆動されて前記展開方向(９１)に移動する間は前記非制限経路（４０１）に単方向にガイドされ、
前記ピン（５５３）と前記ガイド軌道（４０）との前記相対移動が前記制限経路（４０２）にガイドされている間に、前記移動ユニット（２）を前記収納方向（９３）に移動させる前記外力が解除されて前記ピン（５５３）と前記ガイド軌道（４０）との前記相対移動の方向が前記反動ユニット（３）の反動力によって反転するとすぐに、前記ピン（５５３）が前記ガイド軌道（４０）に係止されて前記ピン（５５３）と前記ガイド軌道（４０）との前記相対移動が停止し、
前記移動ユニット（２）が再び前記外力を受けると、前記ピン（５５３）と前記ガイド軌道（４０）との前記相対移動が、前記ピン（５５３）が前記制限経路（４０２）を離れ前記転向区間（４０３）に入り込むように前記転向ブロック（４３１）にガイドされるまで前記制限経路（４０２）にガイドされ続け、
前記ピン（５５３）が前記転向区間（４０３）に入り込んだ上で前記外力が再び解除されると、前記移動ユニット（２）が前記反動ユニット（３）の反動力を受けて前記ピン（５５３）が前記係止ブロック（４５）の前記ピン嵌入窪み(４５１)に嵌入し、
前記ピン（５５３）が前記ピン嵌入窪み(４５１)に嵌入している際に前記移動ユニット（２）が前記外力を再び受けると、前記ピン（５５３）が前記ピン押出ブロック（４６）に前記ピン嵌入窪み（４５１）から脱離して前記非制限経路（４０１）に向かうように押し出されて、前記外力が解除されると、前記ピン（５５３）が前記非制限経路（４０１）に入り込むと共に、前記ピン（５５３）と前記ガイド軌道（４０）とが前記反動ユニット（３）の反動力を受けて単方向に相対移動するように構成されることを特徴とする移動・移動制限装置を提供する。
【０００９】
また、本発明は、上記目的、特に移動ユニットの移動安定性を向上させるための以下の手段（請求項３）を提供する。
【００１０】
即ち、固定ユニット（１）と該固定ユニット（１）に対してスライド移動できる移動ユニット（２）とを具えているスライドアセンブリに用いられて前記移動ユニット（２）の移動を制限するための移動制限ユニットであって、
ケース（５１）と、前記ケース（５１）に位置調整可能に設置されているピン座（５３）と、前記ピン座（５３）に揺動可能に枢結されているピンユニット（５５）とを有することを特徴とする移動制限ユニットを提供する。
【００１１】
また、上記目的を達成する他の１つの手段（請求項６）として、本発明は、以下の構成を有する移動・移動制限装置をも提供する。
【００１２】
即ち、固定ユニット（１）と該固定ユニット（１）に対して展開方向（９１）とその反対の収納方向（９３）とにスライド移動できる移動ユニット（２）とを具えているスライドアセンブリに用いられて前記移動ユニット（２）を移動および移動制限するための移動・移動制限装置であって、
軌道ユニット（４）と、移動制限ユニット（５）とを具え、
前記軌道ユニット（４）は、互いに間隔を置いてそれぞれ前記移動ユニット（２）の移動方向に沿って延伸する非制限経路（４０１）と制限経路（４０２）とを有するガイド軌道（４０）を画成するように構成されている上に、前記非制限経路（４０１）と前記制限経路（４０２）との間に設けられた少なくとも１つの制限ブロック（４７）と、前記少なくとも１つの制限ブロック（４７）とそれぞれ隣接するように前記非制限経路（４０１）と前記制限経路（４０２）との間に設けられた少なくとも１つの補助制限ブロック（４８）とを有し、前記制限ブロック（４７）と隣接する前記補助制限ブロック（４８）とは互いの一端同士が近づくように延伸して互いの間に係止空間（４７１）を画成するように設けられており、
前記移動制限ユニット（５）は、前記軌道ユニット（４）の前記ガイド軌道（４０）に揺動可能に挿入されるピン（５５３）を有する揺動可能なピンユニット（５５）を有し、
前記ガイド軌道（４０）および前記ピンユニット（５５）は、
前記移動ユニット（２）が前記固定ユニット（１）に対して移動すると、前記ピン（５５３）と前記ガイド軌道（４０）が相対的に移動し、前記ピン（５５３）と前記ガイド軌道（４０）との相対移動は、前記移動ユニット（２）が第１の外力を受けて前記収納方向（９３）に移動する間は前記制限経路（４０２）に単方向にガイドされ、前記移動ユニット（２）が第２の外力を受けて前記展開方向に移動する間は前記非制限経路（４０１）に単方向にガイドされ、
前記ピン（５５３）と前記ガイド軌道（４０）との前記相対移動が前記制限経路（４０２）にガイドされている間に、前記移動ユニット（２）を前記収納方向（９３）に移動させる前記第１の外力が解除されて前記ピン（５５３）と前記ガイド軌道（４０）との前記相対移動の方向が前記第２の外力によって反転するとすぐに、前記ピン（５５３）が前記係止空間（４７１）に嵌入し前記制限ブロック（４７）と前記補助制限ブロック（４８）とに係止されて前記ピン（５５３）と前記ガイド軌道（４０）との前記相対移動が停止するように構成されることを特徴とする移動・移動制限装置を提供する。
【００１３】
更に、上記目的を達成する他の１つの手段（請求項７）として、本発明は、以下の構成を有する移動・移動制限装置をも提供する。
【００１４】
即ち、固定レール部材（１２）と該固定レール部材（１２）に対して展開方向（９１）とその反対の収納方向（９３）とにスライド移動できるスライドレール部材（２２）との間に設けられて前記スライドレール部材（２２）を移動および移動制限するための移動・移動制限装置であって、
軌道ユニット（４）と、前記軌道ユニット（４）に対して相対移動する移動制限ユニット（５）と、反動ユニット（３）とを具え、
前記軌道ユニット（４）は、ガイド軌道（４０）と、ピン係止ブロック（４５）と、それぞれ前記ピン係止ブロック（４５）の前記展開方向（９１）側にあって互いに隣接するピン押出ブロック（４６）および転向ブロック（４３１）とを有し、前記ガイド軌道（４０）は、それぞれ前記移動ユニットの移動方向に沿って延伸する非制限経路（４０１）と制限経路（４０２）、および転向区間（４０３）とを有し、前記ピン係止ブロック（４５）と前記ピン押出ブロック（４６）は前記非制限経路（４０１）と前記制限経路（４０２）とが合流する箇所に位置し、前記ピン係止ブロック（４５）は前記ピン押出ブロック（４６）に面するピン嵌入窪み(４５１)を有し、前記転向区間（４０３）は前記ピン係止ブロック（４５）と前記転向ブロック（４３１）との間に画成され、
前記移動制限ユニット（５）は、ピン座（５３）と、前記ピン座（５３）に揺動可能に枢結されるピンユニット（５５）とを有し、前記ピンユニット（５５）は、前記軌道ユニット（４）の前記ガイド軌道（４０）に沿って移動できるように前記ガイド軌道（４０）に挿入されるピン（５５３）を有し、
前記反動ユニット（３）は、前記固定レール部材（１２）と前記スライドレール部材（２２）との間に接続される弾性部材（３３）を有し、
前記ガイド軌道（４０）および前記ピンユニット（５５）は、
前記スライドレール部材（２２）が前記固定レール部材（１２）に対して移動すると、前記ピン（５５３）と前記ガイド軌道（４０）が相対的に移動し、前記ピン（５５３）と前記ガイド軌道（４０）との相対移動は、前記スライドレール部材（２２）が外力を受けて前記収納方向（９３）に移動する間は前記制限経路（４０２）に単方向にガイドされ、前記スライドレール部材（２２）が前記反動ユニット（３）により駆動されて前記展開方向（９１）に移動する間は前記非制限経路（４０１）に単方向にガイドされ、
前記ピン（５５３）と前記ガイド軌道（４０）との前記相対移動が前記制限経路（４０２）にガイドされている間に、前記スライドレール部材（２２）を前記収納方向（９３）に移動させる前記外力が解除されて前記ピン（５５３）と前記ガイド軌道（４０）との前記相対移動の方向が前記反動ユニット（３）の反動力によって反転するとすぐに、前記ピン（５５３）が前記ガイド軌道（４０）に係止されて前記ピン（５５３）と前記ガイド軌道（４０）との前記相対移動が停止し、
前記スライドレール部材（２２）が再び前記外力を受けると、前記ピン（５５３）と前記ガイド軌道（４０）との前記相対移動が、前記ピン（５５３）が前記制限経路（４０２）を離れ前記転向区間（４０３）に入り込むように前記転向ブロック（４３１）にガイドされるまで前記制限経路（４０２）にガイドされ続け、
前記ピン（５５３）が前記転向区間（４０３）に入り込んだ上で前記外力が再び解除されると、前記スライドレール部材（２２）が前記反動ユニット（３）の反動力を受けて前記ピン（５５３）が前記係止ブロック（４５）の前記ピン嵌入窪み(４５１)に嵌入し、
前記ピン（５５３）が前記ピン嵌入窪み(４５１)に嵌入している際に前記スライドレール部材（２２）が前記外力を再び受けると、前記ピン（５５３）が前記ピン押出ブロック（４６）に前記ピン嵌入窪み（４５１）から脱離して前記非制限経路（４０１）に向かうように押し出されて、前記外力が解除されると、前記ピン（５５３）が前記非制限経路（４０１）に入り込むと共に、前記ピン（５５３）と前記ガイド軌道（４０）とが前記反動ユニット（３）の反動力を受けて単方向に相対移動するように構成されることを特徴とする移動・移動制限装置をも提供する。
【発明の効果】
【００１５】
上記手段によれば、前記移動ユニット（あるいは前記スライドレール部材）が前記固定ユニット（あるいは前記固定レール部材）に対してスライド移動すると、前記ピンと前記ガイド軌道とが相対移動し前記ピンが前記制限経路か前記非制限経路かにガイドされるので移動安定性が高い。更に、例えば使用者が手で押し込むこと（外力）により前記移動ユニットが前記収納方向に移動する間に、例えば使用者が手を放して（外力が解除されて）前記移動ユニットが前記反動ユニットにより移動方向が逆転すると、前記ピンが前記ガイド軌道に係止されて前記移動ユニットが位置制限されるので、前記移動ユニットを、前記収納方向に移動させる際に途中の位置で留めることができ、使い勝手がよい。
【図面の簡単な説明】
【００１６】
【図１】本発明に係る移動・移動制限装置の第１の実施形態がキャビネットに用いられた態様を示す部分断面前面図である。
【図２】移動ユニットが展開状態にある態様を示す部分断面上面図である。
【図３】第１の実施形態を示す部分斜視図である。
【図４】移動ユニットが収納状態にある態様を示す部分断面上面図である。
【図５】第１の実施形態における軌道ユニットを示す部分側面図である。
【図６】図５に示された軌道ユニットの一部分を拡大して示す図であり、移動ユニットが収納状態にある際のピンユニットのピンの位置が示されている。
【図７】図５に示された軌道ユニットの一部分を拡大して示す図であり、移動ユニットが半展開状態にある際のピンユニットのピンの位置が示されている。
【図８】第１の実施形態における移動制限ユニットを示す分解斜視図である。
【図９】第１の実施形態における移動制限ユニットを示す部分断面上面である。
【図１０】本発明に係る移動・移動制限装置の第２の実施形態を示す断面側面図である。
【図１１】本発明に係る移動・移動制限装置の第３の実施形態を示す断面側面図である。
【図１２】図１１に示された軌道ユニットの一部分を拡大して示す図であり、移動ユニットが半収納状態にある際のピンユニットのピンの位置が示されている。
【図１３】本発明に係る移動・移動制限装置の第４の実施形態を示す側面図である。
【図１４】第４の実施形態を示す部分側面図であり、移動ユニットが展開状態にある際の態様が示されている。
【図１５】第４の実施形態を示す部分側面図であり、移動ユニットが収納状態にある際の態様が示されている。
【発明を実施するための形態】
【００１７】
本発明に係る移動・移動制限装置は、固定ユニット１と固定ユニット１に対して展開方向９１とその反対の収納方向９３とにスライド移動できる移動ユニット２とを具えているキャビネットに用いられて、固定ユニット１および移動ユニット２の左右両側間に２つ１組で設けられることにより移動ユニット２を移動および移動制限するための装置である。
【００１８】
以下、添付図面を参照しながら、移動・移動制限装置の各実施形態を詳細に説明する。なお、左右２つの移動・移動制限装置は、どちらも同様の構成を有しているので、以下ではいずれか１つだけ説明する。
【００１９】
＜第１の実施形態＞
図１〜図３には、本発明に係る移動・移動制限装置の第１の実施形態がキャビネットに用いられた態様が示されている。
【００２０】
キャビネットは、例えばキャビネット本体（固定側）と、キャビネット本体内にスライド移動可能に収納される引き出し（移動側）など、固定側である固定ユニット１と、固定ユニット１に対して展開方向９１（固定ユニット１から引き出される方向）とその反対の収納方向９３（固定ユニット１に押し入れられる方向）とにスライド移動できる移動ユニット２とを具えるものである。
【００２１】
固定ユニット１は、図１（側面図）および図２（上面図）に示されているように、中空のキャビネット本体１１と、キャビネット本体１１内側の左右に一本ずつ固定された一対の固定レール部材１２と、それぞれ対応する一方の固定レール部材１２に連結されていると共に他方の固定レール部材１２に向かって延伸するように設けられている一対の連結部材１３とを有する。
【００２２】
固定ユニット１は、図１（側面図）および図２（上面図）に示されているように、中空のキャビネット本体１１と、キャビネット本体１１内側の左右両方に一本ずつ固定された一対の固定レール部材１２と、一対の連結部材１３とを有する。各連結部材１３は、対応する一方の固定レール部材１２に連結されていると共に、他方の固定レール部材１２に向かって延伸するように設けられている。
【００２３】
移動ユニット２は、収納物を載置できるように底板および前板２１１を有して構成されておりキャビネット本体１１内にスライド移動可能に配置されている載置部２１と、載置部２１外側の左右両方に一本ずつ固定されており対応するキャビネット本体１１側の固定レール部材１２に対してスライドできる一対の第１のスライドレール部材２２と、それぞれ連結部材１３に近接して載置部２１の底板の左右両端に固定されている一対の第２のスライドレール部材２３とを有する。
【００２４】
載置部２１は、後述する軌道ユニット４と移動制限ユニット５とにより収納状態で係止され、且つ、収納状態において前板２１１が更に収納方向９３に押されると係止が解除され、後述する反動ユニット３の付勢により展開方向９１に移動して展開状態となるプッシュオープン式となっている。移動ユニット２が収納状態において前板２１１が押されて移動ユニット２が展開方向９１に移動すると、各第２のスライドレール部材２３が対応する連結部材１３に対してスライドするように駆動され、すなわち各第２のスライドレール部材２３が載置部２１を支承しながらガイドするので、載置部２１のキャビネット本体１１に対する移動が滑らかになる。
【００２５】
なお、本実施形態においては、キャビネットとして、固定ユニット１をキャビネット本体、移動ユニット２を引き出しとして例示している。しかしながら、本発明に係る移動・移動制限装置はこのような応用に限らず、例えば、ドアパネルや、窓や家具の部分に用いられる各種のスライドアセンブリに用いることが可能である。なお、固定ユニット１および移動ユニット２は本発明の範囲ではなく、且つこのようなスライドアセンブリは従来技術であるので、ここではこれ以上の説明を省く。
【００２６】
本発明に係る移動・移動制限装置は、固定ユニット１および移動ユニット２のいずれか一方（本実施形態では固定ユニット１）に固定される軌道ユニット４と、固定ユニット１および移動ユニット２の前記一方ではない他方（本実施形態では移動ユニット２）に固定される移動制限ユニット５と、固定ユニット１および移動ユニット２の間に設けられる反動ユニット３とを具えている。
【００２７】
本実施形態においては、軌道ユニット４、移動制限ユニット５、反動ユニット３はいずれも２つ１組で用いられ、各軌道ユニット４が固定ユニット１の左右両側に、各移動制限ユニット５が移動ユニット２の左右両側に、各反動ユニット３が左右両側それぞれで軌道ユニット４と移動制限ユニット５との間に配置されている。
【００２８】
（反動ユニット３）
反動ユニット３は、対応する１つの固定ユニット１の連結部材１３に固定され前後方向（即ち移動ユニット２の移動方法）に延伸するように形成された管状のスリーブ３１と、スリーブ３１内に摺動可能に挿入されているプッシュロッド３２と、固定ユニット１と移動ユニット２の間に設けられ両端がスリーブ３１とプッシュロッド３２に連結されている弾性部材３３とを有する。
【００２９】
プッシュロッド３２は、スリーブ３１から前方（即ち展開方向９１）に突出して載置部２１の前板２１１に面する前端部３２１と、スリーブ３１から後方（即ち収納方向９３）に突出していると共に弾性部材３３の一端が連結されている後端部３２２とを有する。
【００３０】
本実施形態では、図３に示されているように、弾性部材３３として引張ばねを２本用いたが、その数量、および種類はこれに限らず、移動ユニット２を収納状態から展開状態となるよう付勢するように構成するには、例えば圧縮ばねを用いることも可能である。
【００３１】
図４に示されているように、移動ユニット２が後方（収納方向９３）に移動すると、前板２１１がプッシュロッド３２の前端部３２１に当接して、プッシュロッド３２が対応のスリーブ３１に押し込められ、相対して後端部３２２が後方に突き出て、弾性部材３３が伸ばされることにより、戻り付勢力を蓄積する。
【００３２】
（軌道ユニット４）
図３および図５に示されているように、軌道ユニット４は、対応する移動ユニット２の第２のスライドレール部材２３に固定されて設けられている。
【００３３】
本実施形態において、軌道ユニット４は、長尺状に前後方向に延伸するように且つ上下方向に幅を有するように形成されたベース壁４１と、それぞれベース壁４１の上側から互いに前後間隔をあけて突起するように列状に設けられた複数の上側ガイドブロック４２と、それぞれベース壁４１の下側から互いに前後間隔をあけて突起するように列状に設けられた複数の下側ガイドブロック４３とを有する。
【００３４】
加えて、軌道ユニット４は、複数の制限ブロック４７と、複数の補助制限ブロック４８と、上下一対の後端ブロック４４と、ピン係止ブロック４５と、ピン押し出しブロック４６と、転向ブロック４３１とを有する。以下各ブロックについて詳しく説明する。
【００３５】
制限ブロック４７と補助ブロック４８はそれぞれ、ベース壁４１において上側ガイドブロック４２と下側ガイドブロック４３との間に配置されている。
【００３６】
上下一対の後端ブロック４４は、それぞれ複数の上側ガイドブロック４２および複数の下側ガイドブロック４３の内のそれぞれ最も後方にある１つの更に後方で、上下方向で互い違いになるように配置されている。
【００３７】
ピン係止ブロック４５は、複数の上側ガイドブロック４２と複数の下側ガイドブロック４３との間の空間の前方に配置されている。
【００３８】
ピン押出ブロック４６は、ピン係止ブロック４５の前方、つまりピン係止ブロック４５よりも展開方向９１側に配置されている。
【００３９】
転向ブロック４３１は、複数の下側ガイドブロック４３の内の最も前方にある１つの更に前方に配置されていると共に、ピン押出ブロック４６の下方にピン押出ブロック４６と隣接して設けられている。
【００４０】
補助制限ブロック４８と制限ブロック４７とは本実施形態においては数量が対応しており、各補助制限ブロック４８は、隣接する対応の制限ブロック４７の前方に設けられている。
【００４１】
図５〜図７に示されているように、ベース壁４１は更に、それぞれベース壁４１の後方側に配置されたいくつかの補助制限ブロック４８と位置対応してベース壁４１を貫通するように設けられた複数の空隙部４１１を有する。
【００４２】
上側ガイドブロック４２と上側の後端ブロック４４とはそれぞれ略三角形状になっており、それぞれ対応する下側ガイドブロック４３および下側の後端ブロック４４に向かって突出する頂端部を有する。また、同様に、下側ガイドブロック４３と下側の後端ブロック４４もそれぞれ略三角形状になっており、それぞれ対応する上側ガイドブロック４２および下側の後端ブロック４４に向かって突出する頂端部を有する。
【００４３】
ピン係止ブロック４５はピン押出ブロック４６に面するピン嵌入窪み４５１を有する。転向ブロック４３１はピン押出ブロック４６のピン嵌入窪み４５１よりも前方でピン嵌入窪み４５１に面する曲面４３２を有する。各制限ブロック４７と隣接する対応の各補助制限ブロック４８とは、互いの一端（後端）同士が近づくように延伸して互いの間に係止空間４７１を画成している。
【００４４】
本実施形態では、係止空間４７１は後述する移動制限ユニット５のピンユニット５５のピン５５３を受け入れてピン５５３の収納方向９３（後方）への移動を制限できるように設けられるものである。なお、各制限ブロック４７の係止空間４７１側の一面には図示されているように凹みが設けられているが、この凹みは設けなくてもよい。
【００４５】
各補助制限ブロック４８は、図６に示されているように、対応の制限ブロック４７に向かって前後方向に延伸して近接するように且つ係止空間４７１の直上に位置するように形成された弾性部４８１と、弾性部４８１と繋がっており対応の制限ブロック４７から離れるように延伸するよう形成された固定部４８２とを有する。なお、固定部４８２はベース壁４１から側方に突起した部分であり、また、複数の補助制限ブロック４８の内、空隙部４１１が設けられている補助制限ブロック４８の弾性部４８１は、空隙部４１１の存在により固定部４８２に片持ち式に支持された状態となっている。
【００４６】
図７に示されているように、各制限ブロック４７は近接する対応の補助制限ブロック４８の弾性部４８１との間に係止空間４７１と連通する脱出間隙４９を画成している。脱出間隙４９の幅は後述するピンユニット５５のピン５５３の直径より小さい。
【００４７】
なお、各制限ブロック４７と隣接する対応の各補助制限ブロック４８とは、前後方向において、隣接する２つの上側ガイドブロック４２の間に位置している。また、各下側ガイドブロック４３は、前後方向において、各制限ブロック４７と隣接する対応の各補助制限ブロック４８との間に位置している。
【００４８】
軌道ユニット４は更に、ガイド軌道４０を有する。ガイド軌道４０は、ベース壁４１、上側ガイドブロック４２、下側ガイドブロック４３、後端ブロック４４、ピン係止ブロック４５、ピン押出ブロック４６、転向ブロック４３１、制限ブロック４７、そして補助制限ブロック４８とにより画成される。
【００４９】
ガイド軌道４０は、それぞれ前後方向（即ち移動ユニット２の移動方向）に沿って間隔をおいて略並行するように延伸する上方側の非制限経路４０１と下方側の制限経路４０２、および、ピン係止ブロック４５と転向ブロック４３１の曲面４３２との間に形成されており非制限経路４０１と制限経路４０２とに繋がる転向区間４０３とを含んでいる。
【００５０】
各制限ブロック４７および各補助制限ブロック４８は、非制限経路４０１と制限経路４０２との間に位置する。本実施形態においては、非制限経路４０１は各上側ガイドブロック４２と各制限ブロック４７および各補助制限ブロック４８との間を走るように形成されたものであり、制限経路４０２は各下側ガイドブロック４３と各制限ブロック４７および各補助制限ブロック４８との間を走るように形成されたものである。
【００５１】
（移動制限ユニット５）
図１〜図３、図８、図９に示されているように、移動制限ユニット５は、左右一対で固定ユニット１にそれぞれ固定されて設けられている。本実施形態においては、移動制限ユニット５は、ケース５１と、ケース５１内に位置調整可能に設置されるピン座５３と、ピン座５３に揺動可能に枢結されるピンユニット５５とを有する。
【００５２】
移動制限ユニット５は、好ましくは、ケース５１を固定ユニット１の対応する１つの連結部材１３に固定する２本の固定ねじ５２と、ピン座５３をケース５１に対して移動させるように回転可能にケース５１に連結されていると共にピン座５１に螺結されている位置調整ねじ５４を更に有する。
【００５３】
ピン座５３は、軌道ユニット４に近接していると共に枢結孔５３３および制限溝５３２が設けられた側壁５３１を有する。制限溝５３２は、下述するようにピンユニット５５の一部を移動可能に嵌めることでピンユニット５５がピン座５３から離脱するのを防ぐためのものであり、側壁５３１の上下端に渡って溝の開口が下向きになるように且つ湾曲するように設けられている。本実施形態では、位置調整ねじ５４を上述のように設けたことにより、位置調整ねじ５４を回転させることにより、ピン座５３をケース５１に対して前後方向に移動させて位置調整することができる。
【００５４】
本実施形態において、ピンユニット５５はピン座５３に揺動可能に設けられると共に軌道ユニット４のガイド軌道４０に沿って移動できるようにガイド軌道４０に挿入されるものである。
【００５５】
ピンユニット５５は、プレート部５５１と、プレート部５５１から突起してピン座５３の枢結孔５３３に回転可能に挿入されている心棒部５５２と、プレート部５５１の一端から延伸しピン座５３の制限溝５３２に移動可能に係合している制限突起部５５４と、プレート部５５１の他端から突起しているピン５５３とを有する。
【００５６】
ピン５５３は、軌道ユニット４のガイド軌道４０に沿って移動できるようにガイド軌道４０に挿入されており、ピン５５３がガイド軌道４０に沿って移動することにより揺動すると、それに連れて制限突起部５５４が制限溝５３２内で揺動するが、制限突起部５５４が制限溝５３２と係合していることにより、ピンユニット５５がピン座５３から脱離しないようになっている。
【００５７】
移動ユニット２が軌道ユニット４に対して斜めであると、または移動制限ユニット５が固定ユニット１の両側に対称に設置されないと、ピン５５３のガイド軌道４０に対する位置もずれてピン５５３のガイド軌道４０に沿った移動がスムーズにいかなくなるが、図２、図３、図８、図９に示されているように、移動制限ユニット５の位置調整ねじ５４を操作することで、ケース５３内に配置されたピン座５３の位置を調整することによってピン５５３のガイド軌道４０に対する位置を調整することが可能である。例えば、移動ユニット２の左側に設けられた軌道ユニット４と右側に設けられた軌道ユニット４とで前後方向の位置がずれている場合、左右両側で各ピンユニット５５のピン５５３が対応するガイド軌道４０の係止空間４７０に正しい位置で嵌入できなくなるが、このような場合にも、位置調整ねじ５４を回転させてピン座５３をケース５１に対して前後に移動させることで、左右両側において各ピンユニット５５のピン５５３がガイド軌道４０に正しい位置で挿入されるようにすることができる。これによりキャビネットの左右両側で各移動制限装置が同期して操作することができる。
【００５８】
なお、軌道ユニット４と移動制限ユニット５は設置位置において逆にすることもでき、つまり、本実施形態では、左右各１つの軌道ユニット４を移動ユニット２の各第２のスライドレール部材２３に、左右各１つの位置制限ユニット５を固定ユニット１の両側にそれぞれ固定するように構成したが、これとは逆に、左右各１つの位置制限ユニット５を移動ユニット２の各第２のスライドレール部材２３に、左右各１つの軌道ユニット４を固定ユニット１の両側にそれぞれ固定するように構成することも可能である。
【００５９】
（ピン５５３とガイド軌道４０との相対移動）
以下、移動ユニット２が固定ユニット１に対してスライド移動する間のピンユニット５５のピン５５３とガイド軌道４０との相対移動を説明する。
【００６０】
実際の使用に当たっては、図２、図３、図５に示されているように、移動ユニット２が操作されて固定ユニット１に対して移動すると、軌道ユニット４が移動制限ユニット５に対して移動する。図５においては、ガイド軌道４０とピンユニット５５のピン５５３との相対移動の軌跡が、一点鎖線９２および破線９４とで示されている。
【００６１】
移動ユニット２が固定ユニット１に対して前方に、即ち矢印９１で示された展開方向（以下単に展開方向９１）に移動すると、ピン５５３とガイド軌道４０との相対移動は非制限経路４０１にガイドされて一点鎖線９２で示された軌跡を描くようにピン５５３がガイド軌道４０を通る。この際、ピン５５３の相対移動は単方向に後方に向かうものである。
【００６２】
移動ユニット２が固定ユニット１に対して後方に、即ち矢印９３で示された収納方向（以下単に収納方向９３）に移動すると、ピン５５３とガイド軌道４０との相対移動は制限経路４０２にガイドされて破線９４で示された軌跡を描くようにピン５５３がガイド軌道４０を通る。この際、ピン５５３の相対移動は単方向に前方に向かうものである。
【００６３】
図４には、移動ユニット２の載置部２１が固定ユニット１のキャビネット本体１１に完全に収納された状態（収納状態）が示されている。この状態では、反動ユニット３の弾性部材３３が伸ばされて戻り付勢力（反動力）が蓄積されている。
【００６４】
図６には、ピン５５３のガイド軌道４０に対する相対移動が部分拡大図として示されている。移動ユニット２が載置部２１を押し込む外力（例えば使用者が手で載置部２１を押し込む力）を受けて収納方向９３に移動する間、ピン５５３とガイド軌道４０との相対移動は、ピン５５３が制限経路４０２を離れ転向区間４０３に入り込むように転向ブロック４３１の曲面４３２にガイドされるまでは制限経路４０２にガイドされ続ける。
【００６５】
移動ユニット２の載置部２１が固定ユニット１のキャビネット本体１１に完全に押し込められた状態、即ち、ピン５５３が制限経路４０２を離れ転向区間４０３に入り込んだ状態で、上記外力が解除されると、移動ユニット２が反動ユニット３の反動力を受けてピン５５３が係止ブロック４５のピン嵌入窪み４５１に嵌入し、移動ユニット２が図４に示した収納状態に定位される。
【００６６】
収納状態に定位された移動ユニット２の載置部２１を固定ユニット１のキャビネット本体１１から引き出したい場合には、載置部２１の前板２１１を再び押し込む方向に押すと、つまり移動ユニット２が再び上記外力を受けると、ピン５５３がピン嵌入窪み４５１から脱離して非制限経路４０１に向かうようにピン押出ブロック４６に押し出される。ここで再び上記外力が解除されると（例えば使用者が手を載置部２１から離すと）、ピン５５３が非制限経路４０１に入り込むと共に、反動ユニット３の反動力を受けてピン５５３とガイド軌道４０とが単方向に非制限経路４０１にガイドされて相対移動する。これにより移動ユニット２を固定ユニット１から引き出させることができる。なお、この際、図２および図６に示されているように、移動ユニット２は展開方向９１に向かって完全に展開状態になるまで移動する。
【００６７】
再び図４および図５を参照に、展開状態になった移動ユニット２の載置部２１を、再び固定ユニット１に押し戻したい場合を説明する。例えば使用者に押されて載置部２１が再び外力を受けて移動ユニット２が固定ユニット１に対して後方（収納方向９３）に移動すると、載置部２１の前板２１１が反動ユニット３のプッシュロッド３２を押し込むので、弾性部材３３が反動力を蓄積するようになる。これと同時に、軌道ユニット４が移動ユニット２と共に収納方向０３に移動し、ピン５５３とガイド軌道４０との相対移動が制限経路４０２にガイドされる。
【００６８】
また、ピン５５３とガイド軌道４０との相対移動が制限経路４０２にガイドされている間に、移動ユニット２を収納方向９３に移動させる外力が解除されると、弾性部材３３の戻り付勢力を受けてプッシュロッド３２が前板２１１を前方（展開方向９１）に押すようになる。つまり、反動ユニット３の反動力（第２の外力）によってピン５５３とガイド軌道４０との相対移動の方向が反転する。この際、上述のように相対移動の方向が反転するとすぐに、図７に示されているように、ピン５５３がガイド軌道４０に係止されて上記相対移動が停止する。より詳しく言うと、ピン５５３が制限経路４０２にある間に、ピン５５３とガイド軌道４０との相対移動の方向が反転してピン５５３が収納方向９３に向かうと、ピン５５３がガイド軌道４０のいずれかの係止空間４７１に入り込み制限ブロック４７と補助制限ブロック４８とに係止されて、ピン５５３とガイド軌道４０との相対移動が停止する。これにより、移動ユニット２が半開きになった半展開状態に定位保持される。
【００６９】
載置部２１を、半展開状態から収納状態にしたい場合には、載置部２１の前板２１１を再び押し込むことにより、ピン５５３が相対移動することで係止空間４７１から離脱して制限経路４０２に戻り、移動ユニット２が図４に示された収納状態となるまで、再び制限経路４０２を前方（展開方向９１）に単方向に移動する。
【００７０】
上記とは逆に、載置部２１を、半展開状態から展開状態にしたい場合には、載置部２１の前板２１１を再び引き出すことにより、係止空間４７１にあるピン５５３が補助制限ブロック４８の弾性部４８１を押圧し、弾性部４８１と制限ブロック４７との間の脱出間隙４９を通過して（図７で破線で示されたピン５５３を参照）、非制限回路４０１に入り込み、移動ユニットが図２に示された展開状態となるまで、非制限回路４０１を後方（収納方向９３）に単方向に移動する。
【００７１】
以上、簡単にまとめると、本発明によれば、移動ユニット２を引き出す途中でも外力を解除すれば反動ユニット３の反動力と軌道ユニット４および移動制限ユニット５の構成により移動ユニット２が半展開位置に定位されることができ、また、半展開位置から押し込んで再び収納状態にすることも、引き出して展開状態にすることもできる。
【００７２】
＜第２の実施形態＞
図１０には、本発明に係る移動・移動制限装置の第２の実施形態が示されており、第１の実施形態と概して同様である。第１の実施形態との差異は、各制限ブロック４７と対応の各補助制限ブロック４８との互いの近接した一端同士が繋がっている点にある。したがって、第１の実施形態の脱出間隙４９（図６）は、本実施形態では設けられていない。厳密にいうと、制限ブロック４７のうち、ベース壁４１の前側で空隙部４１１が設けられていない箇所に位置する補助制限ブロック４８はそれぞれ対応の制限ブロック４７と一体になっている。
【００７３】
＜第３の実施形態＞
図１１および図１２には、本発明に係る移動・移動制限装置の第３の実施形態が示されており、第２の実施形態と概して同様である。第２の実施形態との差異は、軌道ユニット４のガイド軌道４０が、複数のそれぞれ前後方向に間隔を置いて設けられた上側制限ユニットＡと、複数のそれぞれ前後方向に間隔を置いて設けられた下側制限ユニットｂとを有する点にある。
【００７４】
各上側および各下側制限ユニットＡ、Ｂは、制限ブロック４７と補助制限ブロック４８とを有する。本実施形態においては、各上側制限ユニットＡの制限ブロック４７は非制限経路４０１と制限経路４０２との間に配置されている。各上側制限ユニットＡの補助制限ブロック４８は非制限経路４０１と制限経路４０２との間で対応の制限ブロック４７の前方に該対応の制限ブロック４７に隣接するように配置されている。各下側制限ユニットＢの制限ブロック４７は制限経路４０２の下に配置されている。各下側制限ユニットＢの補助制限ブロック４８は制限経路４０２の下で対応の制限ブロック４７の前方に該対応の制限ブロック４７に隣接するように配置されている。
【００７５】
第３の実施形態における制限経路４０２は、第１、第２の実施形態とは異なった構造を有し、図１１および図１２において破線９４で示されているように、制限経路４０２におけるピン５５３の相対移動の軌跡が台形の歯型を描くようにガイド軌道４０が構成されている。移動ユニット２の半展開状態における定位保持をより安定させるため、各上側制限ユニットＡには、制限ブロック４７と補助制限ブロック４８との間に上側受け入れ窪み４７２が形成され、また、各下側制限ユニットＢにも、制限ブロック４７と補助制限ブロック４８との間に下側受け入れ窪み４７３が形成されている。
【００７６】
図１２に示されているように、移動ユニット２が収納方向９３に移動している間に（即ちピン５５３が制限経路４０２にある間に）外力が解除された時に、ピン５５３が隣り合う上側受け入れ窪み４７２と下側受け入れ窪み４７３との間にあった場合であって、上記隣り合う両窪み４７２、４７３の展開方向９１側が下側受け入れ窪み４７３、収納方向９３側が上側受け入れ窪み４７２であった場合、反動ユニット３の反動力によってピン５５３が上側受け入れ窪み４７２に入り込む（図１２の実線で描かれたピン５５３を参照）。また、同様の場合であって、上記隣り合う両窪み４７２、４７３の展開方向９１側が上側受け入れ窪み４７２、収納方向９３側が下側受け入れ窪み４７３であった場合、反動ユニット３の反動力によってピン５５３が下側受け入れ窪み４７３に入り込む（図１２の破線で描かれたピン５５３を参照）。ピン５５３が、上側受け入れ窪み４７２と下側受け入れ窪み４７３のいずれかに入り込むことによって係止され、移動ユニット２が半展開状態に定位保持される。また、半展開状態において、再び載置部２１が外力を受ければ、ピン５５３が再び制限経路４０２を破線９４で示された方向に相対移動し、移動ユニット２が収納方向９３に移動することができる。
【００７７】
＜第４の実施形態＞
図１３および図１４には、本発明に係る移動・移動制限装置の第４の実施形態が示されている。本実施形態では、上述の各実施形態と異なり、１つの移動・移動制限装置が、固定レール部材１２と、固定レール部材１２に対して前後方向（即ち展開、収納方向）にスライド移動できるスライドレール部材２２との間に設置されている。
【００７８】
軌道ユニット４は、固定レール部材１２の後端部に設置されており、更に固定レール部材１２の前端部に設けられた係止柱４５２を有する。移動制限ユニット５は、前後方向にスライド移動可能に軌道ユニット４の上に載置されていると共に、スライドレール部材２２の後端に設置される。反動ユニット３は、軌道ユニット４と移動制限ユニット５との間に設けらている。
【００７９】
使用に当たっては、移動制限ユニット５が駆動されると、図１４に示された展開状態と図１５に示された収納状態との間で、スライドレール部材２２が固定レール部材１２に対して移動すると共に、ピン５５３が軌道ユニット４のガイド軌道４０を移動する。
【００８０】
本実施形態によっても、上述の各実施形態と同様に、ピン５５３がガイド軌道４０にガイドされることによってスライドレール部材２２の移動をガイドすることができると共に、移動の途中でもピン５５３が係止空間４７１に嵌入することで、スライドレール部材２２が定位保持されることができる。
【００８１】
以上まとめると、本発明は、ガイド軌道４０の構成により、ピン５５３とガイド軌道４０との相対移動を、制限経路４０２または非制限経路４０１に単方向にガイドされるようにすることができる。また、移動ユニット２の収納方向への移動中に、移動ユニット２を収納方向に移動させる外力が解除されると、移動ユニット２がすぐに反動ユニット３の反動力により展開方向へ付勢されてピン５５３がガイド経路４０に係止されるので、半展開状態に移動ユニット２を定位保持することができる。半展開状態にある移動ユニット２に、再び外力を与えれば、移動制限装置を損壊することなく、収納方向または展開方向に移動させることができる。
【００８２】
以上、本発明の好ましい実施形態を説明したが、本発明はこれに限定されるものではなく、その要旨を逸脱しない範囲で種々変更可能であることはいうまでもない。
【産業上の利用可能性】
【００８３】
本発明に係る移動・移動制限装置は、例えばキャビネットの引き出し、スライド可動部を有するドアパネル、窓枠、家具などのスライドアセンブリに応用することが可能である。
【符号の説明】
【００８４】
１            固定ユニット
１１          キャビネット本体
１２          固定レール部材
１３          連結部材
２            移動ユニット
２１          載置部
２１１        前板
２２、２３    スライドレール部材
３            反動ユニット
３１          スリーブ
３２          プッシュロッド
３２１        前端部
３２２        後端部
３３          弾性部材
４            軌道ユニット
４０          ガイド軌道
４０１        非制限経路
４０２        制限経路
４０３        転向区間
４１          ベース壁
４１１        空隙部
４２          上側ガイドブロック
４３          下側ガイドブロック
４３１        転向ブロック
４３２        曲面
４４          後端ブロック
４５          ピン係止ブロック
４５１        ピン嵌入窪み
４５２        係止柱
４６          ピン押し出しブロック
４７          制限ブロック
４７１        係止空間
４７２        上側受け入れ窪み
４７３      下側受け入れ窪み
４８          補助制限ブロック
４８１        弾性部
４８２        固定部
４９          脱出間隙
５            移動制限ユニット
５１          ケース
５２          固定ねじ
５３          ピン座
５３１        側壁
５３２        制限溝
５３３        枢結孔
５４          位置調整ねじ
５５          ピンユニット
５５１        プレート部
５５２        心棒部
５５３        ピン
５５４        制限突起部
９１          展開方向
９３          収納方向
Ａ            上側制限ユニット
Ｂ            下側制限ユニット
【図１】
2014230787.tif 000003
【図２】
2014230787.tif 000004
【図３】
2014230787.tif 000005
【図４】
2014230787.tif 000006
【図５】
2014230787.tif 000007
【図６】
2014230787.tif 000008
【図７】
2014230787.tif 000009
【図８】
2014230787.tif 000010
【図９】
2014230787.tif 000011
【図１０】
2014230787.tif 000012
【図１１】
2014230787.tif 000013
【図１２】
2014230787.tif 000014
【図１３】
2014230787.tif 000015
【図１４】
2014230787.tif 000016
【図１５】
2014230787.tif 000017